(57)【要約】【課題】磁気テープシステムの機能を診断するために磁気テープ上の領域を使用せずに、読み込み機能および書き込み機能を精度よく診断する。【解決手段】診断用磁気ヘッド１４が取り付けられ磁性体層１３がコーティングされたフレキシブルプリント板１２と、指示情報を受信するとテスト信号を表す磁束変化を診断用磁気ヘッド１４に発生させるテスト信号駆動部１６とを備えた診断用媒体１０が磁気テープ装置２０に装填されると、指示部２４が、診断用媒体１０に指示情報を送信し、移送部２１が、フレキシブルプリント板１２を引き出して診断用磁気ヘッド１４を磁気ヘッド２２に対峙させ、読み込み診断部２５が、診断用磁気ヘッド１４からのテスト信号の読み込み結果に基づき読み込み機能を診断し、読み込み機能が正常な場合、書き込み診断部２６が、磁性体層１３に試験パターンを書き込み、書き込んだ試験パターンの読み込み結果に基づき書き込み機能を診断する。【選択図】図７
2018137023.tif 000002
【特許請求の範囲】
【請求項１】
磁気テープ装置に装填可能なカートリッジ内に、
前記磁気テープ装置内に引き出し可能なテープ状のフレキシブルプリント板と、
前記フレキシブルプリント板の表面にコーティングされた磁性体層と、
前記診断用媒体が前記磁気テープ装置に装填されて前記フレキシブルプリント板が引き出された際に、前記磁気テープ装置の磁気ヘッドに対峙する前記フレキシブルプリント板上の位置に取り付けられた診断用磁気ヘッドと、
前記磁気テープ装置との間で通信を行う通信手段と、
前記通信手段を介して前記磁気テープ装置から診断開始の指示情報を受信すると、前記診断用磁気ヘッドに、前記磁気ヘッドによって読み込み可能なテスト信号を表す磁束変化を発生させるテスト信号駆動手段と、
を備えた診断用媒体。
【請求項２】
前記通信手段は、前記診断用媒体に内蔵された非接触型のメモリに接続され、前記磁気テープ装置によって前記メモリに読み書きされる情報を介して、前記磁気テープ装置との間で情報を送受信することを特徴とする請求項１に記載の診断用媒体。
【請求項３】
自装置に装填された磁気テープ媒体内から磁気テープを引き出して移送する移送手段と、
引き出された前記磁気テープに対して情報の読み込みおよび書き込みを行う磁気ヘッドと、
請求項１または請求項２に記載の診断用媒体に備えられた通信手段との間で通信を行う通信手段と、
前記診断用媒体が装填されたこと前記通信手段を介して検出すると、前記診断用媒体に対して診断開始の指示情報を送信する指示手段と、
前記移送手段により前記磁気テープと同様に前記フレキシブルプリント板が引き出されることにより前記磁気ヘッドに対峙する位置にある前記診断用磁気ヘッドから、前記磁気ヘッドにより前記テスト信号を読み込んで得られる読み込み結果に基づいて、読み込み機能が正常であるか否かを診断する読み込み診断手段と、
前記読み込み機能が正常であると診断された場合に、前記移送手段を制御して前記フレキシブルプリント板上の前記磁性体層を前記磁気ヘッドに接触させて移動させながら、前記磁気ヘッドにより前記磁性体層に試験パターンを書き込み後、書き込んだ試験パターンを読み込んで得られる読み込み結果に基づいて、書き込み機能が正常であるか否かを診断する書き込み診断手段と、
前記読み込み診断手段の診断結果または前記書き込み診断手段の診断結果に基づく情報を出力する診断結果出力手段と、
を備えた磁気テープ装置。
【請求項４】
請求項１または請求項２に記載の診断用媒体と、
請求項３に記載の磁気テープ装置と、
を備えた磁気テープシステム。
【請求項５】
磁気テープ装置に装填可能なカートリッジ内に備えられた、
前記磁気テープ装置内に引き出し可能なテープ状のフレキシブルプリント板と、
前記フレキシブルプリント板の表面にコーティングされた磁性体層と、
前記診断用媒体が前記磁気テープ装置に装填されて前記フレキシブルプリント板が引き出された際に、前記磁気テープ装置の磁気ヘッドに対峙する前記フレキシブルプリント板上の位置に取り付けられた診断用磁気ヘッドと、
前記磁気テープ装置との間で通信を行う通信手段とを用いて、
コンピュータ装置が、
前記通信手段を介して前記磁気テープ装置から診断開始の指示情報を受信すると、前記診断用磁気ヘッドに、前記磁気ヘッドによって読み込み可能なテスト信号を表す磁束変化を発生させる方法。
【請求項６】
自装置に装填された磁気テープ媒体内から磁気テープを引き出して移送する移送手段と、
引き出された前記磁気テープに対して情報の読み込みおよび書き込みを行う磁気ヘッドとを用いて、
コンピュータ装置が、
請求項１に記載の診断用媒体が装填されたことを、前記診断用媒体の通信手段との通信により検出すると、
前記診断用媒体に対して診断開始の指示情報を送信し、
前記移送手段により前記磁気テープと同様に前記フレキシブルプリント板を引き出すことにより前記診断用磁気ヘッドを前記磁気ヘッドに対峙させ、
前記診断用磁気ヘッドから前記磁気ヘッドにより前記テスト信号を読み込んで得られる読み込み結果に基づいて、読み込み機能が正常であるか否かを診断し、
前記読み込み機能が正常であると診断した場合に、前記移送手段を制御して前記フレキシブルプリント板上の前記磁性体層を前記磁気ヘッドに接触させて移動させながら、
前記磁気ヘッドにより前記磁性体層に試験パターンを書き込み、
書き込んだ試験パターンを読み込んで得られる読み込み結果に基づいて、書き込み機能が正常であるか否かを診断し、
前記読み込み機能の診断結果または前記書き込み機能の診断結果に基づく情報を出力する方法。
【請求項７】
磁気テープ装置に装填可能なカートリッジ内に備えられた、
前記磁気テープ装置内に引き出し可能なテープ状のフレキシブルプリント板と、
前記フレキシブルプリント板の表面にコーティングされた磁性体層と、
前記診断用媒体が前記磁気テープ装置に装填されて前記フレキシブルプリント板が引き出された際に、前記磁気テープ装置の磁気ヘッドに対峙する前記フレキシブルプリント板上の位置に取り付けられた診断用磁気ヘッドと、
前記磁気テープ装置との間で通信を行う通信手段とを用いて、
前記通信手段を介して前記磁気テープ装置から診断開始の指示情報を受信すると、前記診断用磁気ヘッドに、前記磁気ヘッドによって読み込み可能なテスト信号を表す磁束変化を発生させるテスト信号駆動ステップをコンピュータ装置に実行させるプログラム。
【請求項８】
自装置に装填された磁気テープ媒体内から磁気テープを引き出して移送する移送手段と、
引き出された前記磁気テープに対して情報の読み込みおよび書き込みを行う磁気ヘッドとを用いて、
請求項１に記載の診断用媒体が装填されたことを、前記診断用媒体の通信手段との通信により検出すると、前記診断用媒体に対して診断開始の指示情報を送信する指示ステップと、
前記移送手段により前記磁気テープと同様に前記フレキシブルプリント板が引き出されることにより前記磁気ヘッドに対峙する位置にある前記診断用磁気ヘッドから、前記磁気ヘッドにより前記テスト信号を読み込んで得られる読み込み結果に基づいて、読み込み機能が正常であるか否かを診断する読み込み診断ステップと、
前記読み込み機能が正常であると診断された場合に、前記移送手段を制御して前記フレキシブルプリント板上の前記磁性体層を前記磁気ヘッドに接触させて移動させながら、前記磁気ヘッドにより前記磁性体層に試験パターンを書き込み後、書き込んだ試験パターンを読み込んで得られる読み込み結果に基づいて、書き込み機能が正常であるか否かを診断する書き込み診断ステップと、
前記読み込み診断ステップの診断結果または前記書き込み診断ステップの診断結果に基づく情報を出力する診断結果出力ステップと、
をコンピュータ装置に実行させるプログラム。
【発明の詳細な説明】
【技術分野】
【０００１】
本発明は、磁気テープシステムの機能を診断する技術に関する。
【背景技術】
【０００２】
磁気テープ媒体に各種情報を記録する磁気テープシステムが知られている。磁気テープシステムでは、磁気テープ装置に磁気テープ媒体が装填される。磁気テープ装置は、装填された磁気テープ媒体から磁気テープを引き出して磁気ヘッドに接触させる。そして、磁気テープ装置は、リールによって磁気テープを巻き取りまたは巻き出すことによって磁気テープを磁気ヘッドに接触させながら移動させ、磁気ヘッドにより情報の読み書きを行う。
【０００３】
このような磁気テープシステムでは、情報の読み書きにおいて障害が発生することがある。このような場合、磁気テープシステムの機能を診断する必要がある。
【０００４】
磁気テープシステムの機能を診断する技術の一例が、特許文献１に記載されている。特許文献１に記載された関連技術は、要因推定用データが記録された磁気テープを再生して得られる要因推定信号に基づいて、磁気テープシステムの機能を診断する。この関連技術では、磁気テープにおいて、要因推定用データを記録するための領域が定められている。また、要因推定用データとしては、例えば、磁気ヘッドと磁気テープとの間のスペーシング起因のエラーを検出するためのパターンや、位相のずれに起因するエラーを検出するためのパターン等が適用される。その他、要因推定用データとしては、磁気テープの材質や特性の劣化要因を推定するためのパターンが適用される。
【先行技術文献】
【特許文献】
【０００５】
【特許文献１】特開２００６−１２７６３３号公報
【発明の概要】
【発明が解決しようとする課題】
【０００６】
しかしながら、特許文献１に記載された関連技術には、以下の課題がある。
【０００７】
この関連技術は、要因推定用データを読み込むことにより発生するエラーの要因を推定する。そのため、この関連技術は、読み込み機能の診断をするものの、書き込み機能の診断をすることができない。また、この関連技術は、要因推定用データがあらかじめ磁気テープに記録されているのでなければ、初期化時に磁気テープに記録するものとしている。しかしながら、書き込み機能に障害がある場合、この関連技術は、正常に書き込めたとは限らない要因推定用データを再生して、読み込み機能の診断を行うことになり、精度よく診断結果を得ることができない。また、この関連技術は、診断したい各種の要因に応じた要因推定用データを必要とするため、推定したい要因が増加するほど、要因推定用データを記録する磁気テープ上の領域が増加するという問題もある。
【０００８】
本発明は、上述の課題を解決するためになされたものである。すなわち、本発明は、磁気テープシステムの機能を診断するために磁気テープ上の領域を使用することなく、読み込み機能および書き込み機能をより精度よく診断する技術を提供することを目的とする。
【課題を解決するための手段】
【０００９】
本発明の診断用媒体は、磁気テープ装置に装填可能なカートリッジ内に、前記磁気テープ装置内に引き出し可能なテープ状のフレキシブルプリント板と、前記フレキシブルプリント板の表面にコーティングされた磁性体層と、前記診断用媒体が前記磁気テープ装置に装填されて前記フレキシブルプリント板が引き出された際に、前記磁気テープ装置の磁気ヘッドに対峙する前記フレキシブルプリント板上の位置に取り付けられた診断用磁気ヘッドと、前記磁気テープ装置との間で通信を行う通信手段と、前記通信手段を介して前記磁気テープ装置から診断開始の指示情報を受信すると、前記診断用磁気ヘッドに、前記磁気ヘッドによって読み込み可能なテスト信号を表す磁束変化を発生させるテスト信号駆動手段と、を備える。
【００１０】
また、本発明の磁気テープ装置は、自装置に装填された磁気テープ媒体内から磁気テープを引き出して移送する移送手段と、引き出された前記磁気テープに対して情報の読み込みおよび書き込みを行う磁気ヘッドと、上述の診断用媒体に備えられた通信手段との間で通信を行う通信手段と、前記診断用媒体が装填されたこと前記通信手段を介して検出すると、前記診断用媒体に対して診断開始の指示情報を送信する指示手段と、前記移送手段により前記磁気テープと同様に前記フレキシブルプリント板が引き出されることにより前記磁気ヘッドに対峙する位置にある前記診断用磁気ヘッドから、前記磁気ヘッドにより前記テスト信号を読み込んで得られる読み込み結果に基づいて、読み込み機能が正常であるか否かを診断する読み込み診断手段と、前記読み込み機能が正常であると診断された場合に、前記移送手段を制御して前記フレキシブルプリント板上の前記磁性体層を前記磁気ヘッドに接触させて移動させながら、前記磁気ヘッドにより前記磁性体層に試験パターンを書き込み後、書き込んだ試験パターンを読み込んで得られる読み込み結果に基づいて、書き込み機能が正常であるか否かを診断する書き込み診断手段と、前記読み込み診断手段の診断結果または前記書き込み診断手段の診断結果に基づく情報を出力する診断結果出力手段と、を備える。
【００１１】
また、本発明の磁気テープシステムは、上述の診断用媒体と、上述の磁気テープ装置と、を備える。
【００１２】
また、本発明の方法は、磁気テープ装置に装填可能なカートリッジ内に備えられた、前記磁気テープ装置内に引き出し可能なテープ状のフレキシブルプリント板と、前記フレキシブルプリント板の表面にコーティングされた磁性体層と、前記診断用媒体が前記磁気テープ装置に装填されて前記フレキシブルプリント板が引き出された際に、前記磁気テープ装置の磁気ヘッドに対峙する前記フレキシブルプリント板上の位置に取り付けられた診断用磁気ヘッドと、前記磁気テープ装置との間で通信を行う通信手段とを用いて、コンピュータ装置が、前記通信手段を介して前記磁気テープ装置から診断開始の指示情報を受信すると、前記診断用磁気ヘッドに、前記磁気ヘッドによって読み込み可能なテスト信号を表す磁束変化を発生させる。
【００１３】
また、本発明の他の方法は、自装置に装填された磁気テープ媒体内から磁気テープを引き出して移送する移送手段と、引き出された前記磁気テープに対して情報の読み込みおよび書き込みを行う磁気ヘッドとを用いて、コンピュータ装置が、請求項１に記載の診断用媒体が装填されたことを、前記診断用媒体の通信手段との通信により検出すると、前記診断用媒体に対して診断開始の指示情報を送信し、前記移送手段により前記磁気テープと同様に前記フレキシブルプリント板を引き出すことにより前記診断用磁気ヘッドを前記磁気ヘッドに対峙させ、前記診断用磁気ヘッドから前記磁気ヘッドにより前記テスト信号を読み込んで得られる読み込み結果に基づいて、読み込み機能が正常であるか否かを診断し、前記読み込み機能が正常であると診断した場合に、前記移送手段を制御して前記フレキシブルプリント板上の前記磁性体層を前記磁気ヘッドに接触させて移動させながら、前記磁気ヘッドにより前記磁性体層に試験パターンを書き込み、書き込んだ試験パターンを読み込んで得られる読み込み結果に基づいて、書き込み機能が正常であるか否かを診断し、前記読み込み機能の診断結果または前記書き込み機能の診断結果に基づく情報を出力する。
【００１４】
また、本発明のプログラムは、磁気テープ装置に装填可能なカートリッジ内に備えられた、前記磁気テープ装置内に引き出し可能なテープ状のフレキシブルプリント板と、前記フレキシブルプリント板の表面にコーティングされた磁性体層と、前記診断用媒体が前記磁気テープ装置に装填されて前記フレキシブルプリント板が引き出された際に、前記磁気テープ装置の磁気ヘッドに対峙する前記フレキシブルプリント板上の位置に取り付けられた診断用磁気ヘッドと、前記磁気テープ装置との間で通信を行う通信手段とを用いて、前記通信手段を介して前記磁気テープ装置から診断開始の指示情報を受信すると、前記診断用磁気ヘッドに、前記磁気ヘッドによって読み込み可能なテスト信号を表す磁束変化を発生させるテスト信号駆動ステップをコンピュータ装置に実行させる。
【００１５】
また、本発明の他のプログラムは、自装置に装填された磁気テープ媒体内から磁気テープを引き出して移送する移送手段と、引き出された前記磁気テープに対して情報の読み込みおよび書き込みを行う磁気ヘッドとを用いて、請求項１に記載の診断用媒体が装填されたことを、前記診断用媒体の通信手段との通信により検出すると、前記診断用媒体に対して診断開始の指示情報を送信する指示ステップと、前記移送手段により前記磁気テープと同様に前記フレキシブルプリント板が引き出されることにより前記磁気ヘッドに対峙する位置にある前記診断用磁気ヘッドから、前記磁気ヘッドにより前記テスト信号を読み込んで得られる読み込み結果に基づいて、読み込み機能が正常であるか否かを診断する読み込み診断ステップと、前記読み込み機能が正常であると診断された場合に、前記移送手段を制御して前記フレキシブルプリント板上の前記磁性体層を前記磁気ヘッドに接触させて移動させながら、前記磁気ヘッドにより前記磁性体層に試験パターンを書き込み後、書き込んだ試験パターンを読み込んで得られる読み込み結果に基づいて、書き込み機能が正常であるか否かを診断する書き込み診断ステップと、前記読み込み診断ステップの診断結果または前記書き込み診断ステップの診断結果に基づく情報を出力する診断結果出力ステップと、をコンピュータ装置に実行させる。
【発明の効果】
【００１６】
本発明は、磁気テープシステムの機能を診断するために磁気テープ上の領域を使用することなく、読み込み機能および書き込み機能をより精度よく診断する技術を提供することができる。
【図面の簡単な説明】
【００１７】
【図１】本発明の第１の実施の形態としての診断用媒体の構成を示すブロック図である。
【図２】本発明の第１の実施の形態としての診断用媒体において、診断用磁気ヘッドが、磁気テープ装置の磁気ヘッドに対峙する位置にある状態を示す図である。
【図３】本発明の第１の実施の形態としての診断用媒体がテスト信号を駆動する動作を説明するフローチャートである。
【図４】本発明の第１の実施の形態としての診断用媒体において、磁性体層に対して、磁気テープ装置の磁気ヘッドにより情報が読み書き可能な状態を示す図である。
【図５】本発明の第２の実施の形態としての磁気テープ装置の構成を示すブロック図である。
【図６】本発明の第２の実施の形態としての磁気テープ装置が読み込み機能および書き込み機能の診断を行う動作を説明するフローチャートである。
【図７】本発明の第３の実施の形態としての磁気テープシステムの構成を示すブロック図である。
【図８】本発明の第３の実施の形態における診断用媒体の具体的な構成例を示す図である。
【図９】本発明の第３の実施の形態における磁気テープ装置の具体的な構成例を示す図である。
【図１０】本発明の第３の実施の形態としての磁気テープシステムが読み込み機能および書き込み機能の診断を行う動作を説明する図である。
【発明を実施するための形態】
【００１８】
以下、本発明の実施の形態について、図面を参照して詳細に説明する。
【００１９】
（第１の実施の形態）
本発明の第１の実施の形態としての診断用媒体１０の構成を図１に示す。図１において、診断用媒体１０は、カートリッジ１１と、フレキシブルプリント板１２と、磁性体層１３と、診断用磁気ヘッド１４と、通信部１５と、テスト信号駆動部１６とを備える。なお、通信部１５は、磁気テープ装置の通信部との通信が可能なネットワークインタフェースによって構成される。また、テスト信号駆動部１６は、メモリ（図示せず）に記憶されたプログラムを実行し各部を制御するプロセッサ（図示せず）によって構成される。
【００２０】
カートリッジ１１は、磁気テープ媒体とほぼ同様の外形を有している。そのため、診断用媒体１０は、手動またはテープオートメーション機構を用いて、磁気テープ媒体と同様に磁気テープ装置に装填可能となっている。
【００２１】
フレキシブルプリント板１２は、後述の磁性体層１３を表面に有するとともに、後述の診断用磁気ヘッド１４が取り付けられたテープ状の部材である。また、フレキシブルプリント板１２は、磁気テープ媒体内の磁気テープと同様に、磁気テープ媒体内のリール等に巻き込まれて収納されている。また、フレキシブルプリント板１２は、磁気テープ装置に装填された際には、磁気テープ媒体内の磁気テープと同様に、磁気テープ装置内に引き出し可能となっている。なお、フレキシブルプリント板１２は、通常の磁気テープ媒体内の磁気テープとほぼ同様の物理形状および物理強度を有することが望ましい。
【００２２】
磁性体層１３は、フレキシブルプリント板１２の表面にコーティングされている。表面とは、診断用媒体１０が磁気テープ装置に装填されてフレキシブルプリント板１２が引き出された際に、磁気ヘッドに接する面である。また、磁性体層１３は、通常の磁気テープ媒体内の磁気テープの磁性体と同様の特性を有する物質からなる。そのため、磁性体層１３は、磁気テープ装置の磁気ヘッドにより書き込まれた情報を、通常の磁気テープと同様に記録可能となっている。
【００２３】
診断用磁気ヘッド１４は、フレキシブルプリント板１２上の所定位置に取り付けられている。所定位置とは、診断用媒体１０が磁気テープ装置に装填されてフレキシブルプリント板１２が引き出された際に、磁気テープ装置の磁気ヘッドに対峙する位置である。診断用磁気ヘッド１４は、フレキシブルプリント板１２上に配線されたトラック毎の信号線を介して後述のテスト信号駆動部１６に接続される。
【００２４】
通信部１５は、磁気テープ装置の通信部との間で通信を行う。
【００２５】
テスト信号駆動部１６は、通信部１５を介して磁気テープ装置から診断開始の指示情報を受信する。そして、テスト信号駆動部１６は指示情報を受信すると、診断用磁気ヘッド１４に、磁気テープ装置の磁気ヘッドによって読み込み可能なテスト信号を表す磁束変化を発生させる。
【００２６】
以上のように構成された診断用媒体１０の動作について、図面を参照して説明する。
【００２７】
まず、図２に示すように、診断用媒体１０が磁気テープ装置に装填され、磁気テープ装置によりフレキシブルプリント板１２が引き出される。これにより、フレキシブルプリント板１２に取り付けられた診断用磁気ヘッド１４が、磁気テープ装置内の磁気ヘッドに対峙する。
【００２８】
この状態で、テスト信号駆動部１６は、図３に示すように動作する。すなわち、テスト信号駆動部１６は、通信部１５を介して磁気テープ装置から診断開始の指示情報を受信すると（ステップＳ１０１でＹｅｓ）、診断用磁気ヘッド１４に、テスト信号を表す磁束変化を発生させる（ステップＳ１０２）。テスト信号は、読み込み機能の診断のため、磁気テープ装置により読み込まれる。
【００２９】
また、その後、図４に示すように、フレキシブルプリント板１２が磁気テープ装置によりさらに移動させられながら、磁性体層１３が磁気ヘッドに接触する。そして、磁性体層１３に、磁気ヘッドにより、書き込み機能の診断のための情報が読み書きされる。
【００３０】
以上で、動作の説明を終了する。
【００３１】
次に、本発明の第１の実施の形態の効果について述べる。
【００３２】
本発明の第１の実施の形態としての診断用媒体は、磁気テープシステムの機能を診断するために磁気テープ上の領域を使用することなく、読み込み機能および書き込み機能をより精度よく診断するために用いることができる。
【００３３】
その理由について説明する。本実施の形態の診断用媒体は、磁気テープ装置に装填可能なカートリッジ内に、磁性体層がコーティングされ所定位置に診断用磁気ヘッドが取り付けらたテープ状のフレキシブルプリント板と、通信部と、テスト信号駆動部を備える。フレキシブルプリント板は、磁気テープ装置内に引き出し可能である。また、診断用磁気ヘッドが取り付けられる所定位置とは、診断用媒体が磁気テープ装置に装填されてフレキシブルプリント板が引き出された際に、磁気テープ装置の磁気ヘッドに対峙する位置である。そして、磁気テープ装置から診断開始の指示情報を受信すると、テスト信号駆動部が、診断用磁気ヘッドに、読み込み機能の診断のためのテスト信号を表す磁束変化を発生させるからである。
【００３４】
このように、本実施の形態は、磁気テープシステムの読み込み機能の診断のためのテスト信号を擬似的に発生させるため、通常の磁気テープ媒体を用いない診断を可能とする。さらに、本実施の形態は、通常の磁気テープと同様に情報の読み書きが可能な磁性体層を、読み込み機能の診断結果を踏まえた書き込み機能の診断を行うために供することができる。
【００３５】
（第２の実施の形態）
次に、本発明の第２の実施の形態について図面を参照して詳細に説明する。本実施の形態では、本発明の第１の実施の形態としての診断用媒体を用いて機能の診断を行う磁気テープ装置について述べる。なお、本実施の形態の説明において参照する各図面において、本発明の第１の実施の形態と同一の構成および同様に動作するステップには同一の符号を付して本実施の形態における詳細な説明を省略する。
【００３６】
まず、本発明の第２の実施の形態としての磁気テープ装置２０の構成を図５に示す。図５において、磁気テープ装置２０は、移送部２１と、磁気ヘッド２２と、通信部２３と、指示部２４と、読み込み診断部２５と、書き込み診断部２６と、診断結果出力部２７とを有する。なお、指示部２４、読み込み診断部２５、書き込み診断部２６および診断結果出力部２７は、メモリ（図示せず）に記憶されたプログラムを実行して各部を制御するプロセッサ（図示せず）によって構成される。
【００３７】
移送部２１は、磁気テープ媒体が自装置に装填されると、磁気テープ媒体内から磁気テープを引き出す。また、移送部２１は、引き出された磁気テープを、読み込みや書き込みのために移送する。具体的には、移送部２１は、磁気テープを巻き込んだり巻き出したりするリールやリールを回転させるモータ等を含んで構成される。なお、移送部２１は、磁気テープ媒体の代わりに診断用媒体１０が装填された場合にも、診断用媒体１０内のフレキシブルプリント板１２を磁気テープとみなして同様に動作する。
【００３８】
磁気ヘッド２２は、引き出された磁気テープに対して情報の読み込みおよび書き込みを行う。具体的には、磁気ヘッド２２は、書き込み用ヘッドおよび読み込み用ヘッドを含んで構成される。なお、磁気ヘッド２２は、磁気テープ媒体の代わりに診断用媒体１０が装填された場合にも、診断用媒体１０から引き出されたフレキシブルプリント板１２上の磁性体層１３や診断用磁気ヘッド１４を磁気テープとみなして同様に動作する。
【００３９】
通信部２３は、診断用媒体１０に備えられた通信部１５との間で通信を行う。具体的には、通信部２３は、診断用媒体１０の通信部１５との通信が可能なネットワークインタフェースを含んで構成される。
【００４０】
指示部２４は、磁気テープ媒体の代わりに診断用媒体１０が装填されたこと通信部２３を介して検出すると、診断用媒体１０に対して診断開始の指示情報を送信する。
【００４１】
読み込み診断部２５は、磁気ヘッド２２に対峙する位置にある診断用磁気ヘッド１４から、磁気ヘッド２２によりテスト信号を読み込んで読み込み結果を得る。そして、読み込み診断部２５は、読み込み結果に基づいて、読み込み機能が正常であるか否かを診断する。例えば、読み込み診断部２５は、読み込み結果が表す信号が、テスト信号に一致するか否かに応じて、読み込み機能が正常であるか否かを診断してもよい。なお、読み込み診断部２５は、診断用媒体１０のテスト信号駆動部１６によって発生させられるテスト信号を、読み込み結果との比較のため、あらかじめ記憶しているものとする。
【００４２】
書き込み診断部２６は、読み込み診断部２５により読み込み機能が正常であると診断された場合に機能する。すなわち、この場合、書き込み診断部２６は、移送部２１を制御することにより、フレキシブルプリント板１２上の磁性体層１３を磁気ヘッド２２に接触させながら移動させる。そして、書き込み診断部２６は、磁気ヘッド２２を駆動して磁性体層１３に試験パターンを書き込む。その後、書き込み診断部２６は、書き込んだ試験パターンを磁気ヘッド２２により読み込んで得られる読み込み結果に基づいて、書き込み機能が正常であるか否かを診断する。例えば、書き込み診断部２６は、書き込んだ試験パターンと読み込み結果が示すパターンとが一致するか否かに基づいて、書き込み機能が正常であるか否かを判断してもよい。読み込み機能が正常であることを前提とすれば、書き込んだ試験パターンと読み込み結果が示すパターンが一致しなければ、書き込み機能に障害がある可能性が高いからである。
【００４３】
診断結果出力部２７は、読み込み診断部２５の診断結果または書き込み診断部２６の診断結果に基づく情報を出力する。例えば、診断結果出力部２７は、読み込み診断部２５により読み込み機能が正常でないと診断された場合、その旨を表す情報を出力する。また、例えば、診断結果出力部２７は、書き込み診断部２６により書き込み機能が正常でないと診断された場合、その旨を表す情報を出力する。出力先は、磁気テープ装置２０が有する液晶ディスプレイ等の出力装置（図示せず）であってもよい。
【００４４】
なお、磁気テープ装置２０において、通常の磁気テープ媒体に対して読み書き機能の少なくともいずれかに障害が発生した状況で、診断用媒体１０が装填された状況を想定する。この場合、診断結果出力部２７は、読み込み診断部２５により読み込み機能が正常であると判断され、かつ、書き込み診断部２６により書き込み機能が正常であると判断された場合には、磁気テープ媒体に障害要因がある可能性を表す情報を出力してもよい。
【００４５】
以上のように構成された磁気テープ装置２０の動作について、図６を参照して説明する。
【００４６】
図６では、まず、指示部２４は、診断用媒体１０が装填されたこと通信部２３を介して検出すると（ステップＳ２０１でＹｅｓ）、移送部２１を制御して、フレキシブルプリント板１２を引き出す（ステップＳ２０２）。これにより、本発明の第１の実施の形態の図２に示したように、診断用媒体１０の診断用磁気ヘッド１４が、磁気ヘッド２２に対峙するよう位置決めされたものとする。
【００４７】
次に、指示部２４は、診断用媒体１０に対して診断開始の指示情報を送信する（ステップＳ２０３）。
【００４８】
次に、読み込み診断部２５は、磁気ヘッド２２に対峙する位置にある診断用磁気ヘッド１４から、磁気ヘッド２２によりテスト信号を読み込む（ステップＳ２０４）。
【００４９】
次に、読み込み診断部２５は、ステップＳ２０４の読み込み結果に基づいて、読み込み機能が正常であるか否かを診断する（ステップＳ２０５）。
【００５０】
前述のように、例えば、読み込み診断部２５は、読み込み結果が表す信号が、テスト信号に一致するか否かに応じて、読み込み機能が正常であるか否かを診断してもよい。
【００５１】
ここで、読み込み機能が正常でないと診断された場合（ステップＳ２０５でＮｏ）、診断結果出力部２７は、読み込み機能が正常でないことを表す情報を出力して（ステップＳ２０６）、動作を終了する。
【００５２】
一方、読み込み機能が正常であると診断された場合（ステップＳ２０５でＹｅｓ）について説明する。この場合、書き込み診断部２６は、磁気ヘッド２２の書き込みヘッドを駆動し、移送部２１を制御してフレキシブルプリント板１２を移動させながら、磁性体層１３に試験パターンを書き込む（ステップＳ２０７）。
【００５３】
次に、書き込み診断部２６は、磁気ヘッド２２により書き込んだ試験パターンを読み込む（ステップＳ２０８）。
【００５４】
次に、書き込み診断部２６は、ステップＳ２０８の読み込み結果に基づいて、書き込み機能が正常であるか否かを診断する（ステップＳ２０９）。
【００５５】
前述のように、例えば、書き込み診断部２６は、書き込んだ試験パターンと読み込み結果が示すパターンとが一致するか否かに基づいて、書き込み機能が正常であるか否かを診断してもよい。
【００５６】
ここで、書き込み機能が正常でないと診断された場合（ステップＳ２０９でＮｏ）、診断結果出力部２７は、書き込み機能が正常でないことを表す情報を出力して（ステップＳ２１０）、動作を終了する。
【００５７】
一方、書き込み機能が正常であると診断された場合（ステップＳ２０９でＹｅｓ）、診断結果出力部２７は、磁気テープ装置２０の読み書き機能が正常であることを表す情報を出力して（ステップＳ２１１）、動作を終了する。
【００５８】
ステップＳ２１１では、前述のように、診断結果出力部２７は、磁気テープ装置２０の読み書き機能が正常であるため、磁気テープ媒体に障害要因がある可能性を示す情報を出力してもよい。
【００５９】
以上で、動作の説明を終了する。
【００６０】
次に、本発明の第２の実施の形態の効果について述べる。
【００６１】
本発明の第２の実施の形態としての磁気テープ装置は、磁気テープシステムの機能を診断するために磁気テープ上の領域を使用することなく、読み込み機能および書き込み機能をより精度よく診断することができる。
【００６２】
その理由について説明する。本実施の形態の磁気テープ装置は、指示部が、通信部を介して診断用媒体が装填されたことを検出すると、移送部が、フレキシブルプリント板を引き出す。これにより、フレキシブルプリント板に取り付けられた診断用磁気ヘッドが、磁気テープ装置内の磁気ヘッドに対峙する。そして、指示部が、診断用媒体に対して診断開始の指示情報を送信する。これにより、診断用媒体の診断用磁気ヘッドにおいて、テスト信号が発生する。その後、読み込み診断部が、診断用磁気ヘッドから、磁気ヘッドによりテスト信号を読み込む。そして、読み込み診断部が、読み込み結果に基づいて、読み込み機能が正常であるか否かを診断するからである。
【００６３】
さらに、読み込み機能が正常であると診断された場合に、書き込み診断部が、移送部を制御して、フレキシブルプリント板上の磁性体層を前記磁気ヘッドに接触させながら移動させる。そして、書き込み診断部が、磁気ヘッドにより磁性体層に試験パターンを書き込み後、書き込んだ試験パターンを読み込む。そして、書き込み診断部が、読み込み結果に基づいて、書き込み機能が正常であるか否かを診断するからである。
【００６４】
その後、診断結果出力部が、読み込み診断部の診断結果または書き込み診断部の診断結果に基づく情報を出力するからである。
【００６５】
このように、本実施の形態は、テスト信号を発生する診断用磁気ヘッドを有する診断用媒体を用いて磁気テープ装置の読み込み機能を診断するため、磁気テープ上の領域を必要としない。また、本実施の形態は、読み込み機能が正常であることが確認された場合に、磁性体層に対する読み書きを行うことで、書き込み機能が正常であるか否かを精度よく診断することができる。さらには、本実施の形態は、磁気テープ装置において読み書きの障害が発生した状況で、読み書き機能が双方とも正常であると診断した場合には、磁気テープ媒体に障害要因がある可能性を示すことができる。その結果、本実施の形態は、磁気テープ装置の読み込み機能、書き込み機能、および、磁気テープ媒体のいずれに障害の要因があるかをより精度よく提示することができる。
【００６６】
（第３の実施の形態）
次に、本発明の第３の実施の形態について図面を参照して詳細に説明する。本実施の形態では、本発明の第１の実施の形態としての診断用媒体と、本発明の第２の実施の形態としての磁気テープ装置とを備える磁気テープシステムの具体例について述べる。なお、本実施の形態の説明において参照する各図面において、本発明の第１または第２の実施の形態と同一の構成および同様に動作するステップには同一の符号を付して本実施の形態における詳細な説明を省略する。
【００６７】
まず、本発明の第３の実施の形態としての磁気テープシステム３の構成を図７に示す。図７において、磁気テープシステム３は、本発明の第１の実施の形態としての診断用媒体１０と、本発明の第２の実施の形態としての磁気テープ装置２０とを含む。診断用媒体１０および磁気テープ装置２０の動作は、本発明の第１または第２の実施の形態で説明した通りである。
【００６８】
次に、磁気テープシステム３の具体的な構成例について説明する。
【００６９】
まず、診断用媒体１０の具体的な構成例を図８に示す。図８において、診断用媒体１０は、カートリッジ１１の内部に、リールのように回転可能な台座１１１を有する。
【００７０】
台座１１１には、通信部１５と、テスト信号駆動部１６と、電源部１１２とが取り付けられる。また、台座１１１は、周囲にフレキシブルプリント板１２を巻き込んで収納可能に構成される。
【００７１】
フレキシブルプリント板１２の一端は、通常の磁気テープ媒体の磁気テープと同様に、磁気テープ装置２０内に引き込まれる際に引き出されるリーダピン１２１に接続される。また、フレキシブルプリント板１２の他の一端は、台座１１１上に取り付けられたテスト信号駆動部１６と物理的かつ電気的に接続される。
【００７２】
電源部１１２は、テスト信号駆動部１６に接続され、テスト信号駆動部１６に対して電力を供給する。電源部１１２は、テスト信号駆動部１６と同様に台座１１１上で回転することにより、テスト信号駆動部１６に対して安定した電力供給を行うことができる。
【００７３】
また、電源部１１２は、電池などの電力を蓄える機能を有していてもよい。その場合、電池は、カートリッジ１１を開けて容易に交換できる構成であってもよい。あるいは、電源部１１２は、充電可能な二次電池を有していてもよい。その場合、二次電池は、無線電力供給技術によって充電可能であってもよい。この場合、二次電池は、交換可能である必要はなく、カートリッジ１１内に固定されていてもよい。
【００７４】
フレキシブルプリント板１２に取り付けられた診断用磁気ヘッド１４は、フレキシブルプリント板１２上の信号線を経由して電気的にテスト信号駆動部１６と接続される。前述のように、診断用磁気ヘッド１４の取付位置は、フレキシブルプリント板１２が磁気テープ装置２０内に引き込まれたときに、磁気ヘッド２２に対峙する位置である。
【００７５】
フレキシブルプリント板１２の表面にコーティングされた磁性体層１３は、フレキシブルプリント板１２が磁気テープ装置２０内に引き込まれ移動されることにより、磁気ヘッド２２と電磁結合可能な位置に存在する。
【００７６】
通信部１５は、テスト信号駆動部１６に接続される。また、通信部１５は、カートリッジメモリ部１５６に接続される。カートリッジメモリ部１５６は、例えばＬＴＯ（Linear Tape-Open）規格の磁気テープ媒体に搭載されているカートリッジメモリと同等の構成であってもよい。具体的には、カートリッジメモリ部１５６は、非接触型の無線通信によりデータが読み書きされるメモリチップによって構成される。この場合、通信部１５および磁気テープ装置２０の通信部２３は、非接触型の無線通信インタフェースによって構成される。カートリッジメモリ部１５６は、磁気テープ装置２０に装填されると、磁気テープ装置２０の通信部２３からの電磁誘導により電力を供給され、通信部２３によって情報が読み書きされる。このように構成される場合、通信部１５は、カートリッジメモリ部１５６に格納される情報を介して、磁気テープ装置２０の通信部２３との情報の送受信を行う。なお、カートリッジメモリ部１５６には、あらかじめ、診断用媒体１０であることを表す情報が格納されているものとする。
【００７７】
テスト信号駆動部１６は、プロセッサ１６１と、メモリ１６２と、診断用磁気ヘッド１４に発生させる磁界を制御する電流制御回路１６３とを含んで構成される。
【００７８】
次に、磁気テープ装置２０の具体的な構成例を図９に示す。図９において、磁気テープ装置２０は、移送部２１として、リール２１１、ガイドローラ２１２、搬送機構２１３等を含んでいる。リール２１１は、中心を軸として回転可能であり、周囲に磁気テープまたはフレキシブルプリント板１２を巻き込みまたは巻出し可能に構成される。また、リール２１１は、モータ（図示せず）により、磁気テープまたはフレキシブルプリント板１２を巻き込む方向または巻き出す方向に回転する。ガイドローラ２１２は、引き出された磁気テープやフレキシブルプリント板１２を案内する。なお、図９において一点鎖線は、引き出された磁気テープまたはフレキシブルプリント板１２を示している。搬送機構２１３は、磁気テープやフレキシブルプリント板１２の端部を保持してリールまで搬送する。
【００７９】
磁気ヘッド２２は、書き込みヘッドおよび読み込みヘッドからなる。
【００８０】
通信部２３は、前述のように、非接触型の無線通信インタフェースによって構成される。
【００８１】
指示部２４、読み込み診断部２５、書き込み診断部２６および診断結果出力部２７は、プロセッサ２０１と、メモリ２０２とによって構成され、液晶ディスプレイ等の出力装置２０３に接続される。
【００８２】
このように構成された磁気テープシステム３の具体例の動作について、図１０を参照して説明する。なお、図１０の動作は、磁気テープ装置２０に媒体が装填されると開始する。
【００８３】
まず、指示部２４は、診断用媒体１０が装填されたか否かを判断する（ステップＳ２０１）。
【００８４】
具体的には、指示部２４は、通信部２３によりカートリッジメモリ部１５６から読み出された情報が診断用媒体１０であることを表していれば、診断用媒体１０が装填されたと判断すればよい。
【００８５】
ここで、診断用媒体１０が装填されていなければ（ステップＳ２０１でＮｏ）、磁気テープ装置２０は、診断動作を終了する。
【００８６】
一方、診断用媒体１０が装填されている場合について説明する（ステップＳ２０１でＹｅｓ）。
【００８７】
この場合、指示部２４は、移送部２１を制御して診断用媒体１０からフレキシブルプリント板１２を引き出す（ステップＳ２０２）。これにより、診断用磁気ヘッド１４は、磁気ヘッド２２に対峙する位置にある。
【００８８】
そして、指示部２４は、診断用媒体１０に対して、診断開始の指示情報を送信する（ステップＳ２０３）。具体的には、指示部２４は、通信部２３によりカートリッジメモリ部１５６に対して診断開始を表す指示情報を書き込めばよい。
【００８９】
次に、診断用媒体１０のテスト信号駆動部１６は、指示情報を受信したと判断する（ステップＳ１０１でＹｅｓ）。具体的には、テスト信号駆動部１６は、通信部１５によりカートリッジメモリ部１５６から読み出された情報が指示情報を示す場合に、指示情報を受信したと判断すればよい。
【００９０】
そこで、テスト信号駆動部１６は、診断用磁気ヘッド１４を駆動する電流を制御して、テスト信号を示す磁束変化を発生させる（ステップＳ１０２）。
【００９１】
一方、磁気テープ装置２０では、ステップＳ２０３で指示情報を送信後、読み込み診断部２５は、磁気ヘッド２２の読み込みヘッドから、テスト信号を読み込む（ステップＳ２０４）。
【００９２】
次に、読み込み診断部２５は、読み込み機能が正常か否かを判断する。すなわち、読み込み診断部２５は、あらかじめ定められたテスト信号が全てのトラックで検出されたか否かを判断する（ステップＳ２０５）。
【００９３】
ここで、少なくとも一部のトラックでテスト信号を検出できない場合（ステップＳ２０５でＮｏ）、診断結果出力部２７は、読み込みヘッドを含む構成に障害がある可能性を示す情報を、出力装置２０３に出力する（ステップＳ２０６）。
【００９４】
一方、全てのトラックでテスト信号を検出できた場合（ステップＳ２０５でＹｅｓ）について説明する。この場合、書き込み診断部２６は、磁気ヘッド２２の書き込みヘッドを駆動しながら、移送部２１を制御してフレキシブルプリント板１２を移送させ、磁性体層１３に試験パターンを書き込む（ステップＳ２０７）。試験パターンはあらかじめ定められているものとする。
【００９５】
次に、書き込み診断部２６は、磁気ヘッド２２の読み込みヘッドを駆動しながら、移送部２１を制御してフレキシブルプリント板１２を移送させ、磁性体層１３に書き込まれた試験パターンを読み込む（ステップＳ２０８）。
【００９６】
次に、書き込み診断部２６は、書き込み機能が正常か否かを判断する。すなわち、全てのトラックで試験パターンを検出できたか否かを判断する（ステップＳ２０９）。
【００９７】
ここで、少なくとも一部のトラックで試験パターンを検出できない場合（ステップＳ２０９でＮｏ）、診断結果出力部２７は、書き込みヘッドを含む構成に障害がある可能性を示す情報を、出力装置２０３に出力する（ステップＳ２１０）。
【００９８】
一方、全てのトラックで試験パターンを検出できた場合（ステップＳ２０９でＹｅｓ）、診断結果出力部２７は、読み込み機能および書き込み機能が正常であることを示す情報を、出力装置２０３に出力する（ステップＳ２１１）。なお、このとき、診断結果出力部２７は、媒体の排出機構（図示せず）を制御して、診断用媒体１０を排出してもよい。
【００９９】
以上で、具体例の動作の説明を終了する。
【０１００】
次に、本発明の第３の実施の形態の効果について述べる。
【０１０１】
本発明の第３の実施の形態としての磁気テープシステムは、磁気テープシステムの機能を診断するために磁気テープ上の領域を使用することなく、読み込み機能および書き込み機能をより精度よく診断することができる。
【０１０２】
その理由は、本発明の第１および第２の実施の形態で述べたとおりである。さらに、本実施の形態の具体例では、診断用媒体の通信部が、ＬＴＯ規格の磁気テープ媒体に一般的に格納されるカートリッジメモリ等と同等のカートリッジメモリ部を介して磁気テープ装置と通信する例について説明した。この場合、磁気テープ装置の通信部としては、ＬＴＯ規格の磁気テープ媒体のカートリッジメモリと通信するための通信部を適用可能である。そのため、本実施の形態を実現するために磁気テープ装置に特別なハードウェアを追加する必要がなく、指示部、読み込み診断部、書き込み診断部および診断結果出力部を実現するためのプログラムを追加するだけでよい。その結果、本実施の形態の磁気テープシステムを容易に実現できるというメリットがある。
【０１０３】
なお、本実施の形態において、診断用媒体および磁気テープ装置の各通信部が、診断用媒体内のカートリッジメモリ部（非接触型のメモリチップ）を介して通信を行う例について説明した。ただし、通信部が互いに通信を行う手法および構成は、これに限定されない。
【０１０４】
また、上述した各実施の形態において、診断結果出力部が、出力装置に情報を出力する例について説明した。ただし、診断結果出力部の出力先は、これに限られない。例えば、診断結果出力部は、ネットワークを介して出力された他の装置に情報を出力してもよい。
【０１０５】
また、上述した本発明の各実施の形態において、診断用媒体のテスト信号駆動部、磁気テープ装置の指示部、読み込み診断部、書き込み診断部および診断結果出力部が、メモリに記憶されたプログラムを実行するプロセッサによって実現される例について説明した。ただし、これらの各機能ブロックの一部、全部、または、それらの組み合わせが専用のハードウェアにより実現されていてもよい。
【０１０６】
また、上述した本発明の各実施の形態において、図３および図６を参照して説明した診断用媒体および磁気テープ装置の動作を、本発明のプログラムとしてコンピュータ装置のメモリ（記憶媒体）に格納しておく。そして、係るプログラムを当該プロセッサが読み出して実行するようにしてもよい。そして、このような場合において、本発明は、係るプログラムのコードあるいは記憶媒体によって構成される。
【０１０７】
また、上述した各実施の形態は、適宜組み合わせて実施されることが可能である。
【０１０８】
また、本発明は、上述した各実施の形態に限定されず、様々な態様で実施されることが可能である。
【符号の説明】
【０１０９】
１０  診断用媒体
１１  カートリッジ
１２  フレキシブルプリント板
１３  磁性体層
１４  診断用磁気ヘッド
１５  通信部
１６  テスト信号駆動部
２０  磁気テープ装置
２１  移送部
２２  磁気ヘッド
２３  通信部
２４  指示部
２５  読み込み診断部
２６  書き込み診断部
２７  診断結果出力部
３  磁気テープシステム
１１１  台座
１１２  電源部
１２１  リーダピン
１５６  カートリッジメモリ部
１６１  プロセッサ
１６２  メモリ
１６３  電流制御回路
２０１  プロセッサ
２０２  メモリ
２０３  出力装置
２１１  リール
２１２  ガイドローラ
２１３  搬送機構
【図１】
2018137023.tif 000003
【図２】
2018137023.tif 000004
【図３】
2018137023.tif 000005
【図４】
2018137023.tif 000006
【図５】
2018137023.tif 000007
【図６】
2018137023.tif 000008
【図７】
2018137023.tif 000009
【図８】
2018137023.tif 000010
【図９】
2018137023.tif 000011
【図１０】
2018137023.tif 000012